(57)【要約】【課題】複数の収納箱が床下面を回転し、床開口部からの組み付けが可能な床下回転収納庫を提供する。【解決手段】ベース１に垂設した固定軸２を中心として回動する回転アーム３に、複数の収納箱６を、上下移動できるように締着し、着脱できるようにしたことを特徴とする床下回転収納庫。【選択図】図１
2006266051.tif 000002
【特許請求の範囲】
【請求項１】
床に設けた床開口部下方の床下空間に配置したベースに固定軸を垂設し、固定軸を中心軸として回動可能な回転アームの外周に、キャスターを具備した複数の収納枠に収納箱を載設したものを、上下移動できるように締着し、着脱できるようにしたことを特徴とする床下回転収納庫。
【請求項２】
上記回転アームを駆動する駆動装置を備えた請求項１の床下回転収納庫。
【請求項３】
駆動装置に於ける、モータ軸と駆動スプロケットとの間に、一方向クラッチを係着した請求項１の床下回転収納庫。
【発明の詳細な説明】
【技術分野】
【０００１】  本発明は、多くの収納品が収納された複数の収納箱を床下に収納すると共に、床下を掘ることなく、床開口部からの組み付けが可能で、床下の空間内で収納箱が床下面上を回転移動できるようにした安価な床下回転収納庫に関するものである。
【背景技術】
【０００２】  従来、床下を掘って深い穴を設け、チェーン等によって上下方向に駆動される複数の収納箱を取り付けて循環させるようにしたものや、チェーン等によって水平方向に駆動される複数の収納箱を取り付けて往復させるようにしたものであった。
また、ターンテーブル上に複数の収納箱を載設して、回転させるようにしたものであった。【０００３】
【特許文献１】  特開平５−１７１７９７号公報
【０００４】
【特許文献２】  特開平６−１５８８４４号公報
【発明の開示】
【発明が解決しようとする課題】
【０００５】  そのために、次のような問題点があった。
（イ）複雑な構造となっており、構成部品が多く非常に高価であった。
（ロ）設置するには、床板を広範囲に壊し、その後、床下への取り付け工事をする必要があり、完成後の家屋に設置するには大工事となり長時間の工事と高価な費用を要した。
（ハ）設置後に故障したときには、床下にもぐっての工事が非常にやりにくく、床板を剥がしての工事となってしまい長時間の修理時間と高価な費用を要した。
本発明は、これらの問題点を解決するためになされたものである。
【課題を解決するための手段】
【０００６】  本発明（請求項１）は、床下空間に設置したベース１に垂設した固定軸２を中心軸として回動する回転アーム３を、固定軸２に軸受Ａ７と軸受Ｂ８を介して挿着する。回転アーム３の外周に、キャスター４を具備した複数の搬送枠５に収納箱６を載設したものを、連結板１１に設けた数個の縦長穴に、軸受Ｃ１２とワッシャー１３を介して上下移動できるように締着し、着脱できるように取り付ける。以上を特徴とする床下回転収納庫である。【０００７】  また、本発明（請求項２）は、上記回転アーム３を駆動するために、固定軸２上に固定されたモータベース１９にモータ２１を取り付け、モータ２１と回転アーム３をチェーン２３とスプロケット等で連結した駆動装置を備える。また、回転停止位置を決める検出板２４を回転アーム３に設け、収納箱６の停止位置を検出する検出スイッチＡ２５を設ける。以上を特徴とする床下回転収納庫である。【０００８】  また、本発明（請求項３）は、上記回転アーム３を駆動するモータ軸と駆動スプロケット２２との間に、一方向回転クラッチを係着することによって、モータ２１駆動時の回転方向とは逆方向に手動で回転ができるようにしたものである。
以上を特徴とする床下回転収納庫である。
【発明の効果】
【０００９】  構造が簡単で、構成部品が少なく安価であると共に、省スペースで多くの収納箱を設けることができる。【００１０】  しかも、設置の際に回転アームと、収納箱を載せて固定した搬送枠を、分離することができるので床開口部のスペースから設置でき、床板を大幅に壊したり、床を掘る必要もなく、新築の戸建て住宅やマンションはもちろんのこと、現在居住している戸建て住宅やマンションにも簡単に安価に設置できる。【００１１】  また、故障の際も、床開口部を開けて収納箱を外せば、修理ができるので修理費用も安価である。
【発明を実施するための最良の形態】
【００１２】  以下、本発明の実施形態について説明する。
（イ）ベース１に固定軸２を溶接等により垂設し、固定軸２に下カラー９を挿着して、止めネジ等で締着して止める。
（ロ）スラストを受ける軸受Ｂ８を下カラー９上に組み込み、回転アーム３の上下部に軸受Ａ７を圧入したものを固定軸に挿着し、上カラー１０を固定軸２に挿着して、上カラー１０を固定軸２に止めネジ等で締着して止める。
（ハ）複数の搬送枠５に、連結板１１をボルト等で締着する。
（ニ）連結板１１に数個の縦長穴を設けて、その縦長穴に軸受Ｃ１２を遊嵌して、軸受Ｃ１２の内輪を挟み込むようにワッシャー１３を介して、回転アーム３にボルト等で締着して連結する。
（ホ）搬送枠５の上部に、収納箱６を載せボルト等で締着する。
（ヘ）搬送枠５に、取手アーム１４を固定し、その取手アーム１４の上部に取手１５を固定する。【００１３】  本発明は、以上のような構成でこれを使用するときは、ベース１と固定軸２及び回転アーム３を組み込んだ状態で、床開口部１７を開けて、ベース１をアンカーボルト等で床下コンクリート面に固定し、次に、取手１５と取手アーム１４の付いた搬送枠５に、連結板１１を締着し、それを回転アーム３に複数個をボルト等で締着する。その後、収納箱６を搬送枠５にボルト等で締着すれば簡単に設置できる。【００１４】  連結板１１に設けた縦長穴に、軸受Ｃ１２を遊嵌して、回転アーム３に連結されているので、収納箱６が回転移動するときに、床下コンクリート面の凹凸に追従して上下移動ができ、回転アーム３の上下方向に無理な力をかけずに収納箱６を回転できる。【００１５】  また、物品を収納するときは、床開口部１７を開け、物品を収納箱６に入れる。また、収納箱６を回転移動させるときには、取手１５を握り、引っ張るか押すかすればよい。
【実施例１】
【００１６】  図２に示すように、収納箱６を８個取り付けたときものである。
【実施例２】
【００１７】  図３に示すように、自動での回転移動ができるようにしたものであり、回転アーム３にスプロケット２０を固定し、固定軸２上に固定されたモータベース１９にモータ２１を取り付けて、そのモータ軸に駆動スプロケット２２を固定し、両スプロケットをチェーン２３で連結することによって、モータ２１での自動運転ができる。【００１８】  また、モータ軸と駆動スプロケット２２との間に、一方向回転クラッチを係着することによって、モータ２１駆動時の回転方向とは逆方向に手で廻すことができるようになり、停電や電気系の故障時でモータ２１が動かなくなった場合に手動回転ができる。【００１９】  また、回転位置検出用の検出板２４を回転アーム３に取り付け、検出板２４の停止位置溝を検出する検出スイッチＡ２５を設けて、収納箱６が床開口部１７の下に来たときにモータ２１を停止させるものである。【００２０】  また、安全上、収納箱６の蓋が開いているときは稼動しないようにするために、検出スイッチＢ２６を設けたものである。【００２１】  なお、床開口部１７が閉じていないと稼動しないように、床開口部１７の扉を検出する検出スイッチＣ２７を設けることによって安全性を向上させることができる。
【実施例３】
【００２２】  図４に示すように、モータ２１駆動での自動運転ができるようにしたものであり、収納箱６を８個取り付けたときのものである。
【実施例４】
【００２３】  図５に示すように、収納箱６を４個取り付けて、収納箱６同志の空間に、固定軸２を中心とした収納箱６端までを直径とする円内に収まるような、コーナ収納２８を設けたものである。収納箱６の数に直すと約６個分に相当する容積を確保することができる。また、床下回転収納庫全体の面積を少なくできる。
【実施例５】
【００２４】  図６に示すように、収納箱６を３個取り付けて、収納箱６同志の空間に、固定軸２を中心とした収納箱６端までを直径とする円内に収まるような、コーナ収納２８を設けたものである。収納箱６の数に直すと約５個分に相当する容積を確保することができる。また、床下回転収納庫全体の面積を少なくできる。
【実施例６】
【００２５】  図７に示すように、収納箱６を６個取り付けて、収納箱６同志の空間に、固定軸２を中心とした収納箱６端までを直径とする円内に収まるような、コーナ収納２８を設けたものである。収納箱６の数に直すと約８．６個分に相当する容積を確保することができる。また、床下回転収納庫全体の面積を少なくできる。
【図面の簡単な説明】
【００２６】
【図１】本発明の正面断面図
【図２】本発明の平面図
【図３】本発明の自動運転時の正面断面図
【図４】本発明の自動運転時の平面図
【図５】本発明の他の実施例４を示す平面図
【図６】本発明の他の実施例５を示す平面図
【図７】本発明の他の実施例６を示す平面図
【符号の説明】
【００２７】  １  ベース
２  固定軸
３  回転アーム
４  キャスター
５  搬送枠
６  収納箱
７  軸受Ａ
８  軸受Ｂ
９  下カラー
１０  上カラー
１１  連結板
１２  軸受Ｃ
１３  ワッシャー
１４  取手アーム
１５  取手
１６  床下
１７  床開口部
１８  床
１９  モータベース
２０  スプロケット
２１  モータ
２２  駆動スプロケット
２３  チェーン
２４  検出板
２５  検出スイッチＡ
２６  検出スイッチＢ
２７  検出スイッチＣ
２８  コーナ収納
【図１】
2006266051.tif 000003
【図２】
2006266051.tif 000004
【図３】
2006266051.tif 000005
【図４】
2006266051.tif 000006
【図５】
2006266051.tif 000007
【図６】
2006266051.tif 000008
【図７】
2006266051.tif 000009